(57)【特許請求の範囲】
【請求項１】
電子天秤における計量に用いられる試料容器を保持するための試料容器保持具であって、
ベース部材と、
前記ベース部材から上方側に向かって延び、その先端縁で試料容器の第１部分を保持する第１保持部材と、
前記ベース部材から上方側に向かって延びるとともに、前記第１保持部材と間隔を隔てて配置され、その先端縁で試料容器の第２部分を保持する第２保持部材とを備え、
前記第２保持部材の上下方向の寸法は、前記第１保持部材の上下方向の寸法よりも大きく、
水平方向における前記第１保持部材の投影面積が最小となる方向と、水平方向における前記第２保持部材の投影面積が最小となる方向とが略一致することを特徴とする試料容器保持具。
【請求項２】
前記ベース部材から上方側に向かって延び、かつ、前記第１保持部材と前記第２保持部材との間に配置され、その先端縁で試料容器の第３部分を保持する第３保持部材をさらに備え、
前記第３保持部材の上下方向の寸法は、前記第１保持部材の上下方向の寸法よりも小さいことを特徴とする請求項１に記載の試料容器保持具。
【請求項３】
前記第３保持部材は、試料容器の底部を支持することを特徴とする請求項２に記載の試料容器保持具。
【請求項４】
前記第３保持部材の水平方向における幅は、前記第１保持部材の水平方向における幅よりも小さいことを特徴とする請求項２に記載の試料容器保持具。
【請求項５】
前記第１保持部材、前記第２保持部材及び前記第３保持部材の少なくとも１つは、板状に形成されていることを特徴とする請求項２に記載の試料容器保持具。
【請求項６】
前記第１保持部材、前記第２保持部材及び前記第３保持部材のうち、板状に形成される部材の先端縁には凹部が形成されていることを特徴とする請求項５に記載の試料容器保持具。
【請求項７】
前記第１保持部材、前記第２保持部材、前記第３保持部材及び前記ベース部材は、一枚の板状部材から形成されていることを特徴とする請求項５に記載の試料容器保持具。
【請求項８】
前記第１保持部材、前記第２保持部材及び前記第３保持部材の少なくとも１つは、棒状に形成されていることを特徴とする請求項２に記載の試料容器保持具。
【請求項９】
請求項１に記載の試料容器保持具と、
前記試料容器保持具が収容される秤量室が形成された本体と、
前記本体に設けられ、前記秤量室内にイオンを供給することにより当該秤量室内を除電するための除電装置とを備え、
前記除電装置からのイオンの供給方向に見たときに、前記第１保持部材の投影面積が最小となり、かつ、前記第２保持部材の投影面積が最小となることを特徴とする電子天秤。
【発明の詳細な説明】
【技術分野】
【０００１】
本発明は、電子天秤における計量に用いられる試料容器を保持するための試料容器保持具、及び、当該試料容器保持具が収容される秤量室を有する電子天秤に関するものである。
【背景技術】
【０００２】
従来より、秤量室が形成された本体と、この秤量室に配置される秤量皿とを備える電子天秤が利用されている。電子天秤では、秤量皿に試料が載置され、秤量室が安定した状態で試料の計量が行われる（例えば、下記特許文献１参照）。【０００３】
このような電子天秤では、秤量皿は、通常、本体内に配置された秤量セルに支持軸などを介して接続されている。そして、秤量皿に試料が載置されると、秤量セルに力が加わる。秤量セルは、加えられた力の大きさに基づいて、試料の質量を算出（計量）する。
【先行技術文献】
【特許文献】
【０００４】
【特許文献１】特開２０１７−５８２０４号公報
【発明の概要】
【発明が解決しようとする課題】
【０００５】
上記した従来の電子天秤を用いる場合として、粉状や、液体状の試料を計量することがある。この場合には、専用の容器を秤量皿に載置し、この容器に試料を入れることで、試料の計量を行っている。また、一般的に、ユーザは、いろいろな種類の容器を使用する。そのため、従来の電子天秤では、容器の形状によっては、容器を安定した状態で秤量皿に載置することが難しいという不具合が生じていた。また、容器に応じて専用の保持具を準備することも考えられるが、このようにすると、容器ごとに保持具を変える必要があり、ユーザの作業が煩雑となってしまう。【０００６】
さらに、容器が静電気を帯びた状態で秤量皿に載置されることがあり、計量の精度が低下するという不具合が生じていた。この場合、電子天秤に設けられた除電装置を動作させることにより、容器を除電することとなるが、容器の形状によっては、容器の除電を円滑に行うことができないという不具合が生じていた。例えば、容器の底面が平らな状態である場合には、容器の底面が量量皿に密着した状態となるため、除電装置で発生するイオンが底面に到達せず、容器の底面の除電を円滑に行うことが困難である。具体的には、秤量皿に容器が接触した状態では、除電装置で発生するイオンが容器底面の静電気に届かずに除電ができないという不具合が生じていた。また、容器底面の静電気は、徐々に皿に流れて少なくなっていくが、この場合、静電気が少なくなるまでの時間が長くなり、計量値が安定しないという不具合が生じてしまう。【０００７】
本発明は、上記実情に鑑みてなされたものであり、種々の試料容器を安定した状態で保持できる試料容器保持具及び電子天秤を提供することを目的とする。
また、本発明は、試料の計量を精度よく行うことが可能となる試料容器保持具及び電子天秤を提供することを目的とする。
【課題を解決するための手段】
【０００８】
（１）本発明に係る試料容器保持具は、電子天秤における計量に用いられる種々の試料容器を保持するための試料容器保持具である。前記試料容器保持具は、ベース部材と、第１保持部材と、第２保持部材とを備える。前記第１保持部材は、前記ベース部材から上方側に向かって延び、その先端縁で試料容器の第１部分を保持する。前記第２保持部材は、前記ベース部材から上方側に向かって延びるとともに、前記第１保持部材と間隔を隔てて配置され、その先端縁で試料容器の第２部分を保持する。前記試料容器保持具において、前記第２保持部材の上下方向の寸法は、前記第１保持部材の上下方向の寸法よりも大きい。前記試料容器保持具において、水平方向における前記第１保持部材の投影面積が最小となる方向と、水平方向における前記第２保持部材の投影面積が最小となる方向とが略一致する。【０００９】
このような構成によれば、試料容器保持具を用いて試料容器を保持する場合には、第１保持部材で試料容器の第１部分を保持し、第２保持部材で試料容器の第２部分を保持することとなる。また、第２保持部材の上下方向の寸法は、第１保持部材の上下方向の寸法よりも大きいため、試料容器保持具は、試料容器を傾斜した状態で保持することとなる。
そのため、試料容器保持具で種々の試料容器を保持する際に、試料容器を安定した状態で保持でき、操作性を向上できる。すなわち、計量作業をしやすい状態で、試料容器を安定的に保持できる。【００１０】
また、試料容器は、底部が浮いた状態で試料容器保持具により保持される。
そのため、試料容器保持具により試料容器を保持した状態で、試料容器保持具及び試料容器を電子天秤の本体内に設置した場合に、試料容器の底部と電子天秤の本体の設置面との間に一定の空間を形成できる。
その結果、電子天秤の本体内で除電用のイオンを発生させた場合などには、そのイオンを試料容器の底面まで到達させることができ、試料容器の全面に対して除電を行うことができる。【００１１】
すなわち、電子天秤の本体の設置面と試料容器の底部との間に隙間を確保できるため、除電器で発生させるイオンを試料容器の底部に届けることができる。
また、試料容器保持具において、水平方向における第１保持部材の投影面積が最小となる方向と、水平方向における第２保持部材の投影面積が最小となる方向とが略一致するため、これらの方向と除電器からのイオンの供給方向とが略一致するように試料容器保持具を設置すれば、イオンの移動が第１保持部材及び第２保持部材で妨げられることを抑制できる。
よって、試料容器の除電を円滑に行うことが可能となる。そして、電子天秤において、試料の計量を精度よく行うことが可能となる。【００１２】
（２）また、前記試料容器保持具は、第３保持部材をさらに備えてもよい。前記第３保持部材は、前記ベース部材から上方側に向かって延び、かつ、前記第１保持部材と前記第２保持部材との間に配置され、その先端縁で試料容器の第３部分を保持する。前記第３保持部材の上下方向の寸法は、前記第１保持部材の上下方向の寸法よりも小さくてもよい。【００１３】
このような構成によれば、第３保持部材により試料容器の第３部分を保持するため、試料容器を一層安定した状態に保つことができる。【００１４】
（３）また、前記第３保持部材は、試料容器の底部を支持してもよい。【００１５】
このような構成によれば、第３保持部材により試料容器を下方から支えることができる。
そのため、試料容器を一層安定した状態に保つことができる。【００１６】
（４）また、前記第３保持部材の水平方向における幅は、前記第１保持部材の水平方向における幅よりも小さくてもよい。【００１７】
このような構成によれば、試料容器保持具により、種々のサイズや形状の試料容器をより安定して保持することができる。【００１８】
（５）また、前記第１保持部材、前記第２保持部材及び前記第３保持部材の少なくとも１つは、板状に形成されていてもよい。【００１９】
このような構成によれば、試料容器保持具において、第１保持部材、第２保持部材及び第３保持部材のそれぞれを簡易に構成できる。【００２０】
（６）また、前記第１保持部材、前記第２保持部材及び前記第３保持部材のうち、板状に形成される部材の先端縁には凹部が形成されていてもよい。【００２１】
このような構成によれば、試料容器保持具で試料容器を保持する際に、第１保持部材、第２保持部材及び第３保持部材に形成された凹部で試料容器を二点で支持（二点支持）することが可能となる。
そのため、試料容器保持具により試料容器を一層安定した状態で保持できる。【００２２】
（７）また、前記第１保持部材、前記第２保持部材、前記第３保持部材及び前記ベース部材は、一枚の板状部材から形成されていてもよい。【００２３】
このような構成によれば、試料容器保持具を一枚の板状部材から形成するため、低コストで製造でき、かつ、多種類の容器に対応させることができる。さらに、作業性を向上できる。【００２４】
（８）また、前記第１保持部材、前記第２保持部材及び前記第３保持部材の少なくとも１つは、棒状に形成されていてもよい。【００２５】
このような構成によれば、試料容器保持具において、試料容器を保持する部材の強度を大きくできる。【００２６】
（９）また、本発明に係る電子天秤は、前記試料容器保持具と、本体と、除電装置とを備える。前記本体には、前記試料容器保持具が収容される秤量室が形成されている。前記除電装置は、前記本体に設けられ、前記秤量室内にイオンを供給することにより当該秤量室内を除電する。前記除電装置からのイオンの供給方向に見たときに、前記第１保持部材の投影面積が最小となり、かつ、前記第２保持部材の投影面積が最小となる。【００２７】
このような構成によれば、除電装置から供給されるイオンの移動が第１保持部材及び第２保持部材で妨げられることを抑制できる。
そのため、除電装置から供給されるイオンを、試料容器の底部と電子天秤内の設置面との間を円滑に移動させることができる。
その結果、除電装置により試料容器の除電を円滑に行うことができる。
【発明の効果】
【００２８】
本発明によれば、試料容器保持具で種々の試料容器を保持する際に、試料容器を安定した状態で保持でき、操作性を向上できる。すなわち、計量作業をしやすい状態で、試料容器を安定的に保持できる。また、試料容器は、底部が浮いた状態で試料容器保持具により保持される。そのため、試料容器保持具により試料容器を保持した状態で、試料容器保持具及び試料容器を電子天秤の本体内に設置した場合に、試料容器の底部と電子天秤の本体の設置面との間に一定の空間を形成できる。その結果、電子天秤の本体内で除電用のイオンを発生させた場合などには、そのイオンを試料容器の底面まで到達させることができ、試料容器の全面に対して除電を行うことができる。すなわち、電子天秤の本体の設置面と試料容器の底部との間に隙間を確保できるため、除電器で発生させるイオンを試料容器の底部に届けることができる。また、試料容器保持具において、水平方向における第１保持部材の投影面積が最小となる方向と、水平方向における第２保持部材の投影面積が最小となる方向とが略一致するため、これらの方向と除電器からのイオンの供給方向とが略一致するように試料容器保持具を設置すれば、イオンの移動が第１保持部材及び第２保持部材で妨げられることを抑制できる。よって、試料容器の除電を円滑に行うことが可能となる。そして、電子天秤において、試料の計量を精度よく行うことが可能となる。
【図面の簡単な説明】
【００２９】
【図１】本発明の第１実施形態に係る電子天秤の構成を示した斜視図である。
【図２】本発明の第１実施形態に係る試料容器保持具の構成を示した斜視図である。
【図３】試料容器保持具の側面図である。
【図４】試料容器保持具に試料容器を載置した状態を示した斜視図である。
【図５】試料容器保持具に試料容器を載置した状態を示した側面図である。
【図６】試料容器保持具により試料容器を保持した状態で、試料容器保持具及び試料容器を本体内に配置して除電を行った場合の試料容器の帯電量、及び、試料容器のみを本体内に配置して除電を行った場合の試料容器の帯電量を示したグラフである。
【図７】本発明の第２実施形態に係る試料容器保持具の構成を示した斜視図である。
【発明を実施するための形態】
【００３０】
１．電子天秤の全体構成
図１は、本発明の第１実施形態に係る電子天秤１の構成を示した斜視図である。
電子天秤１は、例えば、電磁平衡式であり、０．１ｍｇ以下の最小表示で高精度に計量を行うことができる。ただし、電子天秤１としては、電磁平衡式に限らず、ロードセル式などの他の任意の方式のものを用いることができる。
【００３１】
電子天秤１は、本体２と、除電装置３と、秤量皿４とを備えている。また、図１では示されていないが、電子天秤１は、後述する試料容器保持具５を備えている。試料容器保持具５は、計量の際には、秤量皿４上に載置される。試料容器保持具５の詳細は構成については、後述する。
【００３２】
本体２は、電子天秤１の筐体を構成しており、秤量室２４を内部に形成している。本体２は、下部ケース２１と、背面ケース２２と、風防ケース２３とを備えている。
下部ケース２１は、本体２の下部（底部）に設けられている。
背面ケース２２は、下部ケース２１の後部に載置されている。背面ケース２２は、上下方向に延びる直方体状に形成されている。
【００３３】
風防ケース２３は、下部ケース２１の中央部に載置されており、背面ケース２２の手前側に配置されている。風防ケース２３は、後方及び下方が開放された中空状の直方体形状に形成されている。風防ケース２３は、例えば、ガラス材料からなり、透明又は半透明に形成されている。風防ケース２３の後端部は、背面ケース２２の前端部に当接している。風防ケース２３の下端部は、下部ケース２１の上端部に当接している。
このような構成により、本体２内では、下部ケース２１、背面ケース２２及び風防ケース２３によって、秤量室２４が形成されている。
【００３４】
除電装置３は、背面ケース２２に設けられている。除電装置３の前面は、背面ケース２２から露出しており、秤量室２４に対向している。除電装置３は、秤量室２４の中央に向かってイオンを供給するように構成されている。除電装置３は、ユーザにより操作部（図示せず）が操作されることに応じて動作する。
【００３５】
秤量皿４は、秤量室２４内に設けられている。具体的には、秤量皿４は、秤量室２４内において、前後方向中央部かつ幅方向中央部に設けられている。秤量皿４は、金属材料からなり、円板状に形成されている。秤量皿４の上面が、設置面を構成している。図示しないが、下部ケース２１には、計量部（重量センサ）が設けられている。また、この計量部には、秤量皿４を支持するための皿受け部材が載置されている。そして、秤量皿４は、この皿受け部材に載置されている。
【００３６】
図示しないが、風防ケース２３の側面は、開閉扉になっており、この開閉扉をスライドすることにより秤量室２４を開閉することができる。電子天秤１において、試料の計量を行う場合には、ユーザは、まず、風防ケース２３の開閉扉（側面）をスライドして秤量室２４を開放し、試料容器保持具５（後述する）を秤量皿４上（秤量皿４の上面）に載置する。そして、ユーザは、秤量皿４上の試料容器保持具５に試料を入れる。また、ユーザは、風防ケース２３の開閉扉をスライドして秤量室２４を閉鎖し、秤量室２４内が安定した状態で、操作部（図示せず）を操作して、試料の計量を開始させる。その後、ユーザは、表示部（図示せず）に表示される数値（計量内容）を確認する。
【００３７】
このとき、ユーザは、表示部の表示を確認し、表示部に表示される数値が変動している場合には、秤量室２４内で静電気が生じていると判断する。この場合、ユーザは、除電装置３を動作させることにより除電を行う。
【００３８】
２．試料容器保持具の構成
図２は、試料容器保持具５の構成を示した斜視図である。図３は、試料容器保持具５の側面図である。
【００３９】
試料容器保持具５は、電子天秤１における計量に用いられる試料容器を保持するためのものである。試料容器保持具５は、複数の屈曲部分を有する板状の部材であって、金属材料からなる。試料容器保持具５は、底板５０と、第１鉛直板５１と、第２鉛直板５２と、第３鉛直板５３と、第４鉛直板５４と、突出板５５とを備えている。
【００４０】
底板５０は、平面視矩形状の平板状に形成されている。具体的には、底板５０は、平面視長方形状に形成されている。底板５０が、ベース部材の一例を構成している。なお、以下では、底板５０の長辺に沿う方向（図３における左右方向）を、長手方向とし、底板５０の短辺に沿う方向（長手方向と直交する方向）を直交方向として説明する。
【００４１】
底板５０には、長穴５０Ａが形成されている。長穴５０Ａは、底板５０の中央部に設けられている。長穴５０Ａは、長手方向に沿って延びる楕円状に形成されている。後述するように、長穴５０Ａは、ねじ止め用の穴として機能する。
【００４２】
第１鉛直板５１は、正面視矩形状の平板状に形成されており、底板５０の中央部から上方（上方側）に向かって延びている。第１鉛直板５１は、第２鉛直板５２及び第３鉛直板５３と、第４鉛直板５４との間に配置されている。第１鉛直板５１の上端縁（先端縁）には、凹部５１Ａが形成されている。具体的には、凹部５１Ａは、第１鉛直板５１の上端縁中央部に形成されている。凹部５１Ａは、正面視Ｖ字状に形成されており、第１鉛直板５１の上端縁から下方に向かって窪んでいる。第１鉛直板５１が、第３保持部材の一例を構成している。
【００４３】
第２鉛直板５２は、底板５０における長手方向一方側（図３における左方側）の部分から上方（上方側）に向かって延びている。第２鉛直板５２は、正面視矩形状の平板状に形成されており、その一部に開口が形成されている。第２鉛直板５２は、第１鉛直板５１と対向しており、第１鉛直板５１よりも長手方向一方側（図３における左方側）に位置している。第２鉛直板５２の上端縁（先端縁）には、凹部５２Ａが形成されている。具体的には、凹部５２Ａは、第２鉛直板５２の上端縁中央部に形成されている。凹部５２Ａは、正面視Ｖ字状に形成されており、第２鉛直板５２の上端縁から下方に向かって窪んでいる。
【００４４】
第３鉛直板５３は、底板５０における長手方向一方側の縁部（図３における左方側の縁部）から上方（上方側）に向かって延びている。第３鉛直板５３は、正面視矩形状の平板状に形成されており、その一部に開口が形成されている。第３鉛直板５３は、第２鉛直板５２と対向しており、第２鉛直板５２よりも長手方向一方側（図３における左方側）に位置している。第３鉛直板５３の上端縁（先端縁）には、凹部５３Ａが形成されている。具体的には、凹部５３Ａは、第３鉛直板５３の上端縁中央部に形成されている。凹部５３Ａは、正面視Ｖ字状に形成されており、第３鉛直板５３の上端縁から下方に向かって窪んでいる。第２鉛直板５２及び第３鉛直板５３が、第１保持部材の一例を構成している。
【００４５】
第１鉛直板５１、第２鉛直板５２及び第３鉛直板５３は、互いに平行な状態で、かつ、直交方向（図２において右側上方と左側下方とを結ぶ方向）に平行な状態で底板５０から上方に向かって延びている。
【００４６】
第１鉛直板５１の直交方向の寸法は、第２鉛直板５２の直交方向の寸法よりも小さい。第２鉛直板５２の直交方向の寸法は、第３鉛直板５３の直交方向の寸法よりも小さい。また、第１鉛直板５１の上下方向の寸法は、第２鉛直板５２の上下方向の寸法よりも小さい。第２鉛直板５２の上下方向の寸法は、第３鉛直板５３の上下方向の寸法よりも小さい。
【００４７】
すなわち、第１鉛直板５１、第２鉛直板５２及び第３鉛直板５３は、長手方向において中央側に位置する板ほど小さくなっている（上下方向の寸法、及び、直交方向の寸法が小さくなっている）。
【００４８】
第４鉛直板５４は、底板５０における長手方向他方側の縁部（図３における右方側の縁部）から上方（上方側）に向かって延びている。第４鉛直板５４は、鉛直部５４１と、傾斜部５４２とを備えている。
【００４９】
鉛直部５４１は、平板状に形成されており、上下方向及び直交方向に沿っている。鉛直部５４１は、その一部に開口が形成されている。鉛直部５４１は、その下端部が、上方に向かって先細るテーパー状に形成されており、その中央部から上端部までの部分が、上下方向に延びる矩形状に形成されている。
【００５０】
傾斜部５４２は、平板状に形成されており、鉛直部５４１の上端縁から傾斜した状態で上方に向かって延びている。具体的には、傾斜部５４２は、鉛直部５４１の上端縁から、上方に向かうにつれて、長手方向中央側に向かうように傾斜している。傾斜部５４２の上端縁（先端縁）には、凹部５４Ａが形成されている。具体的には、凹部５４Ａは、傾斜部５４２の上端縁中央部に形成されている。凹部５４Ａは、正面視Ｖ字状に形成されており、第４鉛直板５４の上端縁から下方（鉛直部５４１側）に向かって窪んでいる。
【００５１】
第４鉛直板５４の上下方向の寸法は、第１鉛直板５１、第２鉛直板５２及び第３鉛直板５３のそれぞれの上下方向の寸法よりも大きい。具体的には、第４鉛直板５４の上下方向の寸法は、第３鉛直板５３の上下方向の寸法の約２倍である。また、第４鉛直板５４の直交方向の寸法（水平方向における幅）は、第１鉛直板５１の直交方向の寸法（水平方向における幅）より大きい。第４鉛直板５４が、第２保持部材の一例を構成している。
【００５２】
突出板５５は、底板５０における長手方向他方側（図３における右方側）の縁部から長手方向他方側に向かって突出している。突出板５５は、平面視三角形状であって、長手方向他方側に向かうにつれて先細るように形成されている。
【００５３】
試料容器保持具５では、第１鉛直板５１、第２鉛直板５２、第３鉛直板５３及び第４鉛直板５４は、互いに平行な状態で、かつ、直交方向に沿うようにして底板５０から上方に向かって延びている。すなわち、図３に示すように、水平方向において、第１鉛直板５１、第２鉛直板５２及び第３鉛直板５３の投影面積が最小となる方向は、直交方向（図３において紙面と直交する方向）である。また、水平方向において、第４鉛直板５４の投影面積が最小となる方向は、直交方向である。よって、水平方向において、第１鉛直板５１、第２鉛直板５２及び第３鉛直板５３の投影面積が最小となる方向と、第４鉛直板５４の投影面積が最小となる方向とが一致している。
【００５４】
このように構成される試料容器保持具５は、一枚の板状部材から形成される。具体的には、一枚の板状部材（金属板）を適宜切断し、曲げ加工を施すことにより、上記した構成の試料容器保持具５を形成することができる。なお、試料容器保持具５において、第１鉛直板５１、第２鉛直板５２及び第３鉛直板５３の投影面積が最小となる方向と、第４鉛直板５４の投影面積が最小となる方向とは、わずかにずれていてもよい。すなわち、第１鉛直板５１、第２鉛直板５２及び第３鉛直板５３の投影面積が最小となる方向と、第４鉛直板５４の投影面積が最小となる方向とが、水平方向において、略一致する構成であればよい。
【００５５】
３．試料容器保持具及び試料容器の設置
以下では、図４及び図５を用いて、電子天秤１に対する試料容器保持具５及び試料容器１０の設置について説明する。
【００５６】
図４は、試料容器保持具５に試料容器１０を載置した状態を示した斜視図である。図５は、試料容器保持具５に試料容器１０を載置した状態を示した側面図である。
【００５７】
この例では、例えば、読取０．１ｍｇで、試料容器１０としてフラスコ（メスフラスコ）を用いている。この例では、試料容器保持具５に載置する容器として、フラスコである試料容器１０を用いるが、試験管などのフラスコ以外の容器を試料容器保持具５に載置することも可能である。また、０．１ｍｇ以上の計量においても、試料容器の大きさに合わせて試料容器保持具５の形状を変えることで対応できる。
【００５８】
試料容器１０は、底部１０１と、首部１０２と、管状部１０３とを備えている。底部１０１は、球状に形成されている。底部１０１の下面（底面）は、平面状に形成されている。首部１０２は、管状に形成されており、底部１０１の上端部に連続している。首部１０２は、上方に向かうにつれて先細るように形成されている。管状部１０３は、管状に形成されており、一定の直径で首部１０２の上端部から上方に向かって延びている。管状部１０３の上端部の内部空間が、試料を導入するための導入口を形成している。試料容器１０の首部１０２が、第２部分の一例を構成している。また、試料容器１０の底部１０１における長手方向一方側（図５における左方側）の部分が、第１部分の一例を構成している。また、試料容器１０の底部１０１における長手方向他方側（図５における右方側）の部分が（最下部近傍の部分が）、第３部分の一例を構成している。
【００５９】
試料容器保持具５及び試料容器１０を本体２内に設置する際には、まず、ユーザは、風防ケース２３の開閉扉（本体２の側面）をスライドして秤量室２４を開放し、秤量皿４上に試料容器保持具５を載置する。
【００６０】
このとき、ユーザは、図５に示すように、秤量皿４の上面に試料容器保持具５の底板５０を密着させるようにして、秤量皿４上に試料容器保持具５を設置する。また、ユーザは、試料容器保持具５における直交方向（第１鉛直板５１、第２鉛直板５２、第３鉛直板５３及び第４鉛直板５４が延びる方向）と、除電装置３と試料容器保持具５との対向方向とが一致するように、試料容器保持具５を秤量皿４上に載置する。すなわち、第１鉛直板５１、第２鉛直板５２、第３鉛直板５３及び第４鉛直板５４のそれぞれは、除電装置３からのイオンの供給方向に対して平行に延びるように（一致するように）、秤量皿４上に載置される。換言すれば、除電装置３からのイオンの供給方向に見たときに、第１鉛直板５１、第２鉛直板５２、第３鉛直板５３及び第４鉛直板５４のそれぞれの投影面積が最小となっている。
【００６１】
また、図示しないが、秤量皿４の中央部には、ねじ穴が形成されている。ユーザは、上記のように、試料容器保持具５の位置を調整しながら、秤量皿４のねじ穴と、試料容器保持具５の長穴５０Ａが上下方向において重なるように、試料容器保持具５を配置する。そして、試料容器保持具５の長穴５０Ａ、及び、秤量皿４のねじ穴にねじを嵌めて、試料容器保持具５を秤量皿４に対して固定する。なお、試料容器保持具５は、秤量皿４に対して固定されない（ねじ固定されない）状態で、秤量皿４上に載置されていてもよい。この状態において、突出板５５は、試料容器保持具５が倒れることを防止する倒れ止めとして機能する。
そして、ユーザは、秤量皿４に設置された試料容器保持具５に対して試料容器１０を載置する。
【００６２】
具体的には、ユーザは、底部１０１における長手方向一方側（図５における左方側）の部分が第２鉛直板５２及び第３鉛直板５３で支持され、底部１０１における長手方向他方側（図５における右方側）の部分が第１鉛直板５１で支持され、首部１０２が第４鉛直板５４で支持されるように、試料容器１０を試料容器保持具５に載置する。
【００６３】
このとき、試料容器１０は、その軸方向が鉛直方向に対して傾斜する状態で、試料容器保持具５に保持される。また、試料容器１０の管状部１０３の導入口は、電子天秤１の風防ケース２３の開閉扉（本体２の側面）の近傍に位置する。また、試料容器１０の底部１０１は、秤量皿４の上面（設置面）から浮いた状態（上方に間隔を隔てた状態）となっている。
【００６４】
また、試料容器１０の首部１０２は、第４鉛直板５４の凹部５４Ａにより二点支持され、試料容器１０の底部１０１は、第１鉛直板５１の凹部５１Ａ、第２鉛直板５２の凹部５２Ａ、及び、第３鉛直板５３の凹部５３Ａのそれぞれで二点支持されている。
【００６５】
このようにして試料容器１０が試料容器保持具５上に載置された状態で、ユーザは、試料容器１０の管状部１０３の上端部（導入口）から、試料を試料容器１０内に導入する。上記したように、試料容器１０の導入口が電子天秤１の風防ケース２３の開閉扉（本体２の側面）の近傍に位置しているため（導入口がユーザ側に近いため）、ユーザは、試料容器１０内に容易に試料を導入することができる。
【００６６】
試料容器１０内に試料を導入した状態で計量を行った場合に、表示部（図示せず）に表示される数値が変動している場合には、ユーザは、秤量室２４内で静電気が生じていると判断する。この場合、ユーザは、操作部（図示せず）を操作して除電装置３を動作させる。
【００６７】
すると、除電装置３から試料容器１０に向かってイオンが供給される。上記したように、除電装置３からのイオンの供給方向に見たときに、第１鉛直板５１、第２鉛直板５２、第３鉛直板５３及び第４鉛直板５４のそれぞれの投影面積が最小となっている。そのため、第１鉛直板５１、第２鉛直板５２、第３鉛直板５３及び第４鉛直板５４のそれぞれでイオンの移動が妨げられることが抑制される。除電装置３からのイオンは、試料容器１０の底部１０１と秤量皿４との間を通過する。また、その際に、除電装置３からのイオンは、第１鉛直板５１、第２鉛直板５２及び第３鉛直板５３の表面に沿うように移動する。このように、除電装置３から供給されるイオンが試料容器１０の底部１０１と秤量皿４との間を円滑に移動する。
【００６８】
なお、除電のみを目的にする場合には、上記した配置とは異なるように、試料容器保持具５を秤量皿４に置くこともできる。計量作業をする場合には、試料容器１０の導入口が電子天秤１の風防ケース２３の開閉扉（本体２の側面）の近傍に位置している（対向している）ことが好ましい。
【００６９】
４．試料容器保持具を設置した場合の除電効果
図６は、試料容器保持具５により試料容器１０を保持した状態で、試料容器保持具５及び試料容器１０を本体２内に配置して除電を行った場合の試料容器１０の帯電量、及び、試料容器１０のみを本体２内に配置して除電を行った場合の試料容器１０の帯電量を示したグラフである。
【００７０】
図６では、Ａが、試料容器保持具５により試料容器１０を保持した状態で、試料容器保持具５及び試料容器１０を本体２内に配置して除電を行った場合の試料容器１０の帯電量を示しており、Ｂが、試料容器１０のみを本体２内に配置して除電を行った場合の試料容器１０の帯電量を示している。また、図６では、横軸が除電動作を行う前の帯電量を示しており、縦軸が除電動作を行った後の帯電量を示している。
【００７１】
図６から、試料容器保持具５により試料容器１０を保持した状態で、試料容器保持具５及び試料容器１０を本体２内に配置して除電を行った場合の方が、試料容器１０のみを本体２内に配置して除電を行った場合よりも除電効果が高いことが分かる。
【００７２】
５．作用効果
（１）本実施形態によれば、図５に示すように、試料容器保持具５は、第１鉛直板５１、第２鉛直板５２及び第４鉛直板５４を備えている。試料容器保持具５を用いて試料容器１０を保持する際には、第２鉛直板５２及び第３鉛直板５３で底部１０１における長手方向一方側（図５における左方側）の部分を保持し、第４鉛直板５４で首部１０２を保持することとなる。また、第４鉛直板５４の上下方向の寸法は、第２鉛直板５２及び第３鉛直板５３の上下方向の寸法よりも大きいため、試料容器保持具５は、試料容器１０を傾斜した状態で保持することとなる。
そのため、試料容器保持具５で種々の試料容器１０を保持する際に、試料容器１０を安定した状態で保持でき、操作性を向上できる。すなわち、計量作業をしやすい状態で、試料容器１０を安定的に保持できる。
【００７３】
また、試料容器１０は、底部１０１が浮いた状態で試料容器保持具５により保持される。
そのため、試料容器保持具５により試料容器１０を保持した状態で、試料容器保持具５及び試料容器１０を電子天秤１の本体２内に設置した場合に、試料容器１０の底部１０１と秤量皿４との間に一定の空間を形成できる。
その結果、電子天秤１の本体２内で除電用のイオンを発生させた場合には、そのイオンを試料容器１０の底部１０１（底面）まで到達させることができ、試料容器１０の全面に対して除電を行うことができる。
【００７４】
すなわち、秤量皿４と試料容器１０の底部１０１との間に隙間を確保できるため、除電装置３で発生させるイオンを試料容器１０の底部１０１に届けることができる。
また、試料容器保持具５において、水平方向における第２鉛直板５２及び第３鉛直板５３の投影面積が最小となる方向と、水平方向における第４鉛直板５４の投影面積が最小となる方向とが略一致する。そして、電子天秤１では、これらの方向と除電装置３からのイオンの供給方向とが略一致するように試料容器保持具５が設置される。すなわち、電子天秤１では、除電装置３からのイオンの供給方向に見たときに、第２鉛直板５２及び第３鉛直板５３の投影面積が最小となり、かつ、第４鉛直板５４の投影面積が最小となっている。
【００７５】
そのため、除電装置３から供給されるイオンの移動が、第２鉛直板５２、第３鉛直板５３及び第４鉛直板５４で妨げられることを抑制できる。
その結果、除電装置３から供給されるイオンを、試料容器１０の底部１０１と秤量皿４との間を円滑に移動させることができる。
よって、除電装置３により試料容器１０の除電を円滑に行うことができる。そして、電子天秤１において、試料の計量を精度よく行うことが可能となる。
【００７６】
（２）また、本実施形態によれば、図５に示すように、試料容器保持具５は、第１鉛直板５１を備えている。第１鉛直板５１は、第２鉛直板５２及び第３鉛直板５３と、第４鉛直板５４との間に配置され、その先端縁で試料容器１０の底部１０１を保持（支持）する。第１鉛直板５１の上下方向の寸法は、第２鉛直板５２及び第３鉛直板５３の上下方向の寸法よりも小さい。
【００７７】
そのため、試料容器１０を一層安定した状態に保つことができる。
また、第１鉛直板５１により試料容器１０を下方から支えることができるため、試料容器１０をより一層安定した状態に保つことができる。
【００７８】
（３）また、本実施形態によれば、図２に示すように、第１鉛直板５１の水平方向における幅は、第２鉛直板５２及び第３鉛直板５３の水平方向における幅よりも小さい。
そのため、試料容器保持具５により、種々のサイズや形状の試料容器１０をより安定して保持することができる。
【００７９】
（４）また、本実施形態によれば、図２に示すように、試料容器保持具５において、第１鉛直板５１、第２鉛直板５２、第３鉛直板５３及び第４鉛直板５４のそれぞれは、板状（平板状）に形成されている。
そのため、試料容器保持具５において、第１鉛直板５１、第２鉛直板５２、第３鉛直板５３及び第４鉛直板５４のそれぞれを簡易に構成できる。
【００８０】
（５）また、本実施形態によれば、図２に示すように、試料容器保持具５において、第１鉛直板５１の先端縁には、凹部５１Ａが形成され、第２鉛直板５２の先端縁には、凹部５２Ａが形成され、第３鉛直板５３の先端縁には、凹部５３Ａが形成され、第４鉛直板５４の先端縁には、凹部５４Ａが形成されている。
【００８１】
そして、試料容器保持具５で試料容器１０を保持した状態では、試料容器１０の底部１０１は、第１鉛直板５１の凹部５１Ａ、第２鉛直板５２の凹部５２Ａ、及び、第３鉛直板５３の凹部５３Ａのそれぞれで二点支持され、試料容器１０の首部１０２は、第４鉛直板５４の凹部５４Ａで二点支持されている。
そのため、試料容器保持具５により試料容器１０を一層安定した状態で保持できる。
【００８２】
（６）また、本実施形態によれば、試料容器保持具５は、一枚の板状部材から形成される。すなわち、第１鉛直板５１、第２鉛直板５２、第３鉛直板５３、第４鉛直板５４及び底板５０は、一枚の板状部材から形成される。
試料容器保持具５を一枚の板状部材から形成するため、低コストで製造でき、かつ、多種類の容器に対応させることができる。さらに、作業性を向上できる。
【００８３】
６．第２実施形態
以下では、図７を用いて、本発明の第２実施形態について説明する。なお、上記した第１実施形態と同様の構成については、上記と同様の符号を用いることにより説明を省略する。
図７は、本発明の第２実施形態に係る試料容器保持具５の構成を示した斜視図である。
【００８４】
上記した第１実施形態では、底板５０から上方に向かって延びる部材（第１鉛直板５１、第２鉛直板５２、第３鉛直板５３及び第４鉛直板５４）は、板状に形成されている。対して、第２実施形態では、底板５０から上方に向かって延びる部材は、棒状に形成されている。
【００８５】
具体的には、第２実施形態では、第１鉛直板５１に代えて第１棒状体６１が設けられ、第２鉛直板５２に代えて第２棒状体６２が設けられ、第３鉛直板５３に代えて第３棒状体６３が設けられ、第４鉛直板５４に代えて第４棒状体６４が設けられている。
第１棒状体６１は、棒状に形成されており、底板５０の中央部から上方（上方側）に向かって延びている。第１棒状体６１は、直交方向において間隔を隔てるようにして、２つ設けられている。
【００８６】
第２棒状体６２は、棒状に形成されており、底板５０における長手方向一方側（図７における左上方側）の部分から上方（上方側）に向かって延びている。第２棒状体６２は、第１棒状体６１よりも長手方向一方側に位置している。第１棒状体６１は、直交方向において間隔を隔てるようにして、２つ設けられている。
【００８７】
第３棒状体６３は、棒状に形成されており、底板５０における長手方向一方側の縁部（図７における左上方側の縁部）から上方（上方側）に向かって延びている。第３棒状体６３は、第２棒状体６２よりも長手方向一方側に位置している。第３棒状体６３は、直交方向において間隔を隔てるようにして、２つ設けられている。
【００８８】
第４棒状体６４は、棒状に形成されており、底板５０における長手方向他方側の縁部（図７における右下方側の縁部）から上方（上方側）に向かって延びている。第４棒状体６４は、直交方向において間隔を隔てるようにして、２つ設けられている。
【００８９】
第１棒状体６１の上下方向の寸法は、第２棒状体６２の上下方向の寸法よりも小さい。第２棒状体６２の上下方向の寸法は、第３棒状体６３の上下方向の寸法よりも小さい。第３棒状体６３の上下方向の寸法は、第４棒状体６４の上下方向の寸法よりも小さい。
この試料容器保持具５で試料容器１０を保持する際には、試料容器１０の底部１０１は、２つの第１棒状体６１、２つの第２棒状体６２、及び、２つの第３棒状体６３で二点支持され、試料容器１０の首部１０２は、２つの第４棒状体６４で二点支持される。
【００９０】
このように、第２実施形態では、図７に示すように、試料容器保持具５において、底板５０から上方に向かって延びる部材（第１棒状体６１、第２棒状体６２、第３棒状体６３及び第４棒状体６４）は、棒状に形成されている。
そのため、試料容器保持具５において、試料容器１０を保持する部材の強度を大きくできる。
【００９１】
７．変形例
上記した第１実施形態では、第１鉛直板５１、第２鉛直板５２、第３鉛直板５３及び第４鉛直板５４は、底板５０から上方に向かって延びるとして説明した。また、上記した第２実施形態では、第１棒状体６１、第２棒状体６２、第３棒状体６３及び第４棒状体６４は、底板５０から上方に向かって延びるとして説明した。しかし、これらの部材は、底板５０から上方側に向かって延びる構成であればよい。すなわち、これらの部材は、上下方向に対して傾斜する状態で、底板５０から上方側に向かって延びていてもよい。
【００９２】
また、上記した第１実施形態では、底板５０から上方に向かって延びる部材のすべてが板状であるとして説明した。また、上記した第２実施形態では、底板５０から上方に向かって延びる部材のすべてが棒状であるとして説明した。しかし、底板５０から上方に向かって延びる部材において、板状のものと棒状のものとが混合されていてもよい。
【００９３】
また、上記した実施形態において、底板５０から上方側に延びる各部材の枚数（個数）を、任意に変更することが可能である。
【００９４】
また、上記した実施形態では、試料容器保持具５は、秤量皿４上に設置されるとして説明した。しかし、秤量皿４が皿受け部材から取り外され、この皿受け部材上に試料容器保持具５が取り付けられてもよい。この場合、皿受け部材の上面が、設置面となる。
【００９５】
さらに、試料容器保持具５は、電子天秤１内で、専用の機構にぶら下げられるようにして（秤量皿４上に設置されることなく）用いられてもよい。この場合、試料容器保持具５の底板５０に沿う平面の方向が水平方向となる。
【符号の説明】
【００９６】
１        電子天秤
２        本体
３        除電装置
５        試料容器保持具
１０      試料容器
２４      秤量室
５１      第１鉛直板
５１Ａ    凹部
５２      第２鉛直板
５２Ａ    凹部
５３      第３鉛直板
５３Ａ    凹部
５４      第４鉛直板
５４Ａ    凹部
１０１    底部
１０２    首部
１０３    管状部
５４１    鉛直部
５４２    傾斜部
【図１】
0006908194.tif 000002
【図２】
0006908194.tif 000003
【図３】
0006908194.tif 000004
【図４】
0006908194.tif 000005
【図５】
0006908194.tif 000006
【図６】
0006908194.tif 000007
【図７】
0006908194.tif 000008